(57)【要約】      （修正有）【課題】係合方式を用いて各信号灯ユニットを組み付けることで、余分な締結素子に頼る必要がなく、給電線を中空空間に配置することで、各回路基板まで延長して接続できる信号表示装置を提供する。【解決手段】少なくとも１つの信号灯ユニット１０，４０を含み、信号灯ユニット１０，４０は片側に連結部１４を設けた透光グローブ１２を含み、連結部１４には中空凸部を設け、中空凸部上には複数の第一係合爪を有し、回路基板が中空凸部を貫通して連結部１４上に設置され、回路基板は複数の発光素子に電気的に接続し、透光グローブ１２の別の片側には反射カップを設け、反射カップの第一係合爪に対応する位置に複数の第一係合溝を設けて第一係合爪がそれぞれ第一係合溝に係合し、中空空間１９が形成され、給電線２０は中空空間１９を貫通して回路基板と電源に電気的に接続し、反射カップのもう一端は外側に拡張延伸して反射部を形成し、反射部の辺縁には複数の第二係合爪を環状に設ける。【選択図】図２
0003193350.tif 000002
【実用新案登録請求の範囲】
【請求項１】
透光グローブと、
前記透光グローブの片側に設置され、複数の第一係合爪を環状に有する中空凸部を設けた連結部と、
前記中空凸部に貫設されることにより前記連結部上に設置され、上部が複数の発光素子に電気的に接続する回路基板と、
前記透光グローブの別の片側に設置された反射カップであって、前記反射カップ上の前記第一係合爪に対応する位置に複数の第一係合溝を設けることで、前記第一係合爪をそれぞれ対応する前記第一係合溝中に係合させるとともに、中空空間を形成し、前記反射カップのもう一端が外側に拡張延伸して反射部を形成し、その辺縁には複数の第二係合爪を環状に設けた前記反射カップと、
を含む少なくとも１つの信号灯ユニットと、
前記中空空間中を貫通し、前記回路基板と電源に電気的に接続する、給電線と、
を備える、信号表示装置。
【請求項２】
前記信号灯ユニットは複数であり、各前記連結部には第二係合溝をさらに設けて、もう１つの前記信号灯ユニットの前記反射カップの前記第二係合爪をそれぞれ対応する前記第二係合溝に係合させることにより、もう１つの前記信号灯ユニットに接続するとともに、前記中空空間を連通させる、請求項１に記載の信号表示装置。
【請求項３】
前記給電線は前記中空空間中に位置し、前記中空空間に沿って各前記信号灯ユニットの前記回路基板にそれぞれ電気的に接続する、請求項２に記載の信号表示装置。
【請求項４】
ベースをさらに含み、その前記信号灯ユニットの前記第二係合爪に対応する位置に複数の第三係合溝を設け、前記第二係合爪をそれぞれ対応する前記第三係合溝中に係合させることにより、前記ベース上に前記信号灯ユニットを設置する、請求項１に記載の信号表示装置。
【請求項５】
前記透光グローブの内縁に波状の縞模様を環状に有することにより、前記発光素子が生成する光を和らげる、請求項１に記載の信号表示装置。
【請求項６】
前記発光素子は前記回路基板に環状に設けられる、請求項１に記載の信号表示装置。
【請求項７】
前記連結部は、前記中空凸部の外縁に環状に設けられた、前記回路基板を収容するための回路基板収容凹溝をさらに含む、請求項１に記載の信号表示装置。
【請求項８】
前記透光グローブは透明プラスチックグローブである、請求項１に記載の信号表示装置。
【請求項９】
前記連結部はプラスチック連結部である、請求項１に記載の信号表示装置。
【請求項１０】
前記反射カップはプラスチック反射カップである、請求項１に記載の信号表示装置。
【請求項１１】
前記発光素子は発光ダイオードである、請求項１に記載の信号表示装置。
【考案の詳細な説明】
【技術分野】
【０００１】
本考案は警告装置に関するものであって、特に係合方式により組み付ける信号表示装置に関するものである。
【背景技術】
【０００２】
一般的に警告灯はさまざまな機械上に取り付けられ、警告灯の大半は発光素子が光を発するもの、あるいはビープ音を発して警告するものであり、外部の者にさまざまな突発的事態が発生したことを知らせる。警告灯に複数の発光色がある場合、外部の者はその時の発光色によって状況を見分け、発光色に基づいてその時すべき処理動作を行うよう通知することができる。
【０００３】
多くの警告灯は、組み立て時に多数の締結素子を使用する必要があり、ランプカバー、回路板、ソケット等の素子を逐一相互締結して、１つの警告灯を組み立てる。締結素子を利用してランプカバー、回路板、ソケット等の素子を相互締結するのは簡単な作業であるが、各素子を締結するプロセスはかなり煩雑であり、締結というこの簡単なプロセスは疲れるものであるだけでなく、うっかり多くの時間や締結素子のコストを費やしてしまいやすく、全体の組み立てをさらに複雑にする。
【０００４】
特許文献１が開示する警告灯は、所定の方向に積み重ねて連結できる複数の表示ユニットを含み、表示ユニットは筒状のケースであるグローブを含む。グローブ上には連結手段を設置し、相対回動することによりその他表示ユニットのケースを接続する。回路基板上には発光する光源を設け、反射部材により光源の光を反射する。給電部材は信号表示灯のその他ユニットに電気的に接続する。保持体と反射部材は一体であり、給電部材および回路基板を保持する。支持部はグローブ上に設置し、グローブに対し相対回動可能な状態かつ軸方向の移動を規制した状態で保持体を支持し、保持体は給電部材を保持する。
このように特許文献１の発明は、給電部材および回路基板を保持する保持体と軸方向の移動を規制する支持部を有する必要があり、これらにより給電部材を固定するとともに複数の表示ユニットを組み付けることが可能になる。従って素子が増加し、組み立て手順も増し、素子の増加はコストの増加も招くことになる。それに反し本考案は、保持体と支持部を必要としないので、簡単な係合プロセスだけで組み付けられる。
【先行技術文献】
【特許文献】
【０００５】
【特許文献１】日本特許公告第４６５５２２１号公報
【考案の概要】
【考案が解決しようとする課題】
【０００６】
そこで本考案は、上述した公知技術の欠点に対し、上述の問題を克服するのに有効な、信号表示装置を提案する。
【０００７】
本考案の主な目的は、係合方式を用いるだけで組み付けられ、余分な締結素子に頼らずに信号表示装置の各素子を固定して組み付けることができる信号表示装置を提供することである。
【０００８】
本考案のもう一つの目的は、給電線を中空空間に直接収容することで、給電線が延伸して各信号灯ユニット中の回路基板に接続され、給電線が外部に露出することなく、組み立てが迅速で便利な利点を有する信号表示装置を提供することである。
【０００９】
本考案のさらなる目的は、構造が簡単で製作コストが低く、生産効率が高い信号表示装置を提供することである。
【課題を解決するための手段】
【００１０】
上述の目的を達成するため、本考案が提供する信号表示装置は、透光グローブを含んだ少なくとも１つの信号灯ユニットを備え、透光グローブの片側には連結部を設置し、連結部には中空凸部を設け、中空凸部には複数の第一係合爪を環状に設け、連結部には回路基板を設け、回路基板は連結部に設置された中空凸部に貫設され、回路基板はさらに複数の発光素子に電気的に接続する。透光グローブの別の片側には反射カップを設け、反射カップの第一係合爪に対応する位置に複数の第一係合溝を設けることで、第一係合爪をそれぞれ対応する第一係合溝中に係合させるとともに、中空空間を形成し、反射カップのもう一端はさらに外側に拡張延伸して反射部を形成し、その辺縁には複数の第二係合爪を環状に設け、給電線が中空空間中を貫通し、回路基板と電源に電気的に接続する。
【考案の効果】
【００１１】
本考案の信号表示装置は、係合方式を用いるだけで組み付けられ、余分な締結素子に頼らずに信号表示装置の各素子を固定して組み付けることができ、給電線を中空空間に直接収容することで、給電線が延伸して各信号灯ユニット中の回路基板に接続でき、給電線が外部に露出することなく、組み立てが迅速で便利という利点を有し、構造が簡単で製作コストが低く、生産効率が高くなる。
【図面の簡単な説明】
【００１２】
【図１】本考案の実施例の斜視図。
【図２】本考案の実施例の立体透視図。
【図３】本考案の実施例の素子分解図。
【考案を実施するための形態】
【００１３】
本考案の構造特徴と達成される効果のさらなる理解と認識のため、以下に図面を参照しながら好ましい実施例について詳細に説明する。
【００１４】
本考案の信号表示装置によれば、その内部素子を相互に係合する方式だけで各素子を接続して、信号表示装置を組み立てることができる。したがって、複数の締結素子を用いていちいち各素子を締結しなくてすみ、余分な労力を費やすことも、信号表示装置の締結組み付けの煩雑なプロセスも必要としない。
【実施例】
【００１５】
続いて本考案の構造について、どのように係合方式を用いて各素子を組み付けるかを説明する。
図１から図３で示すように、本考案は少なくとも１組の信号灯ユニット１０を備え、信号灯ユニット１０は透光グローブ１２を含み、透光グローブ１２は、透明プラスチックグローブであり、その内縁に波状の縞模様を環状に有することにより、透光グローブ１２内部から発せられる光が和らげられる。透光グローブ１２の片側には連結部１４を設置し、連結部１４はプラスチック製であり、連結部１４には複数の第一係合爪１４４を環状に有する中空凸部１４２を設ける。さらに中空凸部１４２の外縁には回路基板収容凹溝１４６を環状に設けることで、回路基板１６を備え、回路基板１６は中空凸部１４２を貫通して回路基板収容凹溝１４６に設置される。
回路基板１６上は複数の発光素子１６２に接続し、発光素子１６２は回路基板１６上に環状に設けられ、これら複数の発光素子１６２は発光ダイオードである。また、透光グローブ１２の別の片側には反射カップ１８を設置する。この反射カップ１８はプラスチック反射カップでもよく、反射カップ１８の第一係合爪１４４に対応する位置に複数の第一係合溝１８２を設けることで、第一係合爪１４４を対応する第一係合溝１８２中にそれぞれ係合させるとともに、中空空間１９を形成し、反射カップ１８のもう一端はさらに外側に拡張延伸して反射部１８４を形成し、反射部１８４の辺縁には複数の第二係合爪１８６を環状に設ける。１組の給電線２０は中空空間１９中を貫通して、回路基板１６と電源（図中未表示）に電気的に接続することにより、回路基板１６上の複数の発光素子１６２が光源を生成する。
【００１６】
続いて図１〜図３を参照されたい。図で示すように、本実施例では複数の信号灯ユニット１０を信号灯ユニットの例とし、各信号灯ユニット１０の構造はすべて同じである。上述の構造以外にも、各信号灯ユニット１０を相互連結するために、各信号灯ユニット１０の連結部１４に第二係合溝１４８をさらに設け、別の信号灯ユニット４０の反射カップ４８の複数の第二係合爪４８６がそれぞれ対応する信号灯ユニット１０の第二係合溝１４８に係合し、これにより信号灯ユニット４０に接続するので、各信号灯ユニット１０の中空空間１９は相互に連通する。
したがって、信号灯ユニット１０が複数である時、給電線２０は中空空間１９中に位置し、中空空間１９に沿って各信号灯ユニット１０の回路基板１６にそれぞれ電気的に接続でき、もちろん各信号灯ユニット１０中の発光素子１６２は警告作用別に異なった色にすることもできる。
【００１７】
本実施例の複数の信号灯ユニット１０は、相互に係合組み付けできる以外に、信号灯ユニット１０はさらにベース３０上に設置することもできる。
ベース３０上における反射カップ１８の複数の第二係合爪１８６に対応する位置に複数の第三係合溝３２を設け、複数の第二係合爪１８６をそれぞれ対応する複数の第三係合溝３２中に係合させることにより、複数の信号灯ユニット１０をベース３０上に立てて設置する。
【００１８】
上述の記載は本考案の好ましい実施例に過ぎず、本考案の実施範囲を限定するものではない。したがって、本考案の請求範囲で述べた特徴および精神に基づき加えた各種の変更や潤色はすべて、本考案の実用新案登録請求の範囲内に含まれる。
【符号の説明】
【００１９】
１０    信号灯ユニット
１２    透光グローブ
１４    連結部
１４２  中空凸部  
１４４  第一係合爪
１４６  回路基板収容凹溝  
１４８  第二係合溝
１６    回路基板
１６２  発光素子
１８    反射カップ
１８２  第一係合溝
１８４  反射部
１８６  第二係合爪
１９    中空空間
２０    給電線
３０    ベース
３２    第三係合溝
４０    信号灯ユニット
４８    反射カップ
４８６  第二係合爪
【図１】
0003193350.tif 000003
【図２】
0003193350.tif 000004
【図３】
0003193350.tif 000005